(57)【特許請求の範囲】
【請求項１】
コンパクトディスク等の円盤状記録媒体を本体の正面側から出し入れできるように正面の扉を開閉自由に設けると共に、円盤状記録媒体を着脱自由とする保持手段を設けた円盤状記録媒体のケースにおいて、
その保持手段については、中央の釦部の仮想中心を中心として等角度で放射方向に延びる仮想線を挟むように左右一対の脚片を夫々配置し、各脚片は、その仮想線と直交する線上に配置された第１ヒンジにより一端を座部に連接されると共に、他端の薄肉に形成された第２ヒンジにより前記釦部の側壁片に夫々連接され、さらに前記一対の脚片に、円盤状記録媒体の固定用穴を係止させるための係合溝が形成された環形片を前記釦部の周囲に夫々配設すると共にその固定用穴の周縁部下面に対応する跳ね上げ部を一体に形成し、
隣り合う前記脚片の間で、かつ、前記環形片の仮想外径円と前記釦部の外側縁とで囲まれる領域内の前記座部には、前記釦部の裏面側に押し込まれて倒伏又は切断分離することが可能な所定高さの干渉片を立設し、
円盤状記録媒体の固定用穴を前記環形片に合わせて押圧することにより同記録媒体が固定され、他方、円盤状記録媒体が固定された釦部を押圧することにより、各環形片を仮想中心側に変位させつつ釦部と一緒に沈ませると同時に、前記跳ね上げ部にて円盤状記録媒体の下降動作を抑制して同記録媒体の固定状態を解放し、かつ、釦部及び環形片を前記座部の開口部内に小嵩に格納可能に設け、
円盤状記録媒体を収めて前記扉を閉じた状態におけるケースの中央部が外力により圧迫された場合には、前記干渉片の上面にその扉の裏面側を当接させることにより、その釦部の沈む動作を阻止して円盤状記録媒体が前記環形片から外れないように構成したことを特徴とする円盤状記録媒体のケースにおける保持手段の妄動防止構造。
【請求項２】
コンパクトディスク等の円盤状記録媒体を本体の正面側から出し入れできるように正面の扉を開閉自由に設けると共に、円盤状記録媒体を着脱自由とする保持手段を設けた円盤状記録媒体のケースにおいて、
その保持手段については、中央の釦部の仮想中心を中心として等角度で放射方向に延びる仮想線を挟むように左右一対の脚片を夫々配置し、各脚片は、その仮想線と直交する線上に配置された第１ヒンジにより一端を座部に連接されると共に、他端の薄肉に形成された第２ヒンジにより前記釦部の前記仮想線と同じ方向に弾性変形可能な側壁片に夫々連接され、さらに前記一対の脚片に、円盤状記録媒体の固定用穴を係止させるための係合溝が形成された環形片を前記釦部の周囲に夫々配設すると共にその固定用穴の周縁部下面に対応する跳ね上げ部を一体に形成し、
隣り合う前記脚片の間で、かつ、前記環形片の仮想外径円と前記釦部の外側縁とで囲まれる領域内の前記座部には、前記釦部の裏面側に押し込まれて倒伏又は切断分離することが可能な所定高さの干渉片を立設し、
円盤状記録媒体の固定用穴を前記環形片に合わせて押圧することにより同記録媒体が固定され、他方、円盤状記録媒体が固定された釦部を押圧することにより、各環形片を仮想中心側に変位させつつ釦部と一緒に沈ませると同時に、前記跳ね上げ部にて円盤状記録媒体の下降動作を抑制して同記録媒体の固定状態を解放し、かつ、釦部及び環形片を前記座部の開口部内に小嵩に格納可能に設け、
円盤状記録媒体を収めて前記扉を閉じた状態におけるケースの中央部が外力により圧迫された場合には、前記干渉片の上面にその扉の裏面側を当接させることにより、その釦部の沈む動作を阻止して円盤状記録媒体が前記環形片から外れないように構成したことを特徴とする円盤状記録媒体のケースにおける保持手段の妄動防止構造。
【請求項３】
コンパクトディスク等の円盤状記録媒体を本体の正面側から出し入れできるように正面の扉を開閉自由に設けると共に、円盤状記録媒体を着脱自由とする保持手段を設けた円盤状記録媒体のケースにおいて、
その保持手段については、中央の釦部の仮想中心を中心として等角度で放射方向に延びる仮想線を挟むように左右一対の脚片を夫々配置し、各脚片は、その仮想線と直交する線上に配置された第１ヒンジにより一端を座部の前記仮想線と同じ方向に弾性変形可能な連結片に連接されると共に、他端の薄肉に形成された第２ヒンジにより前記釦部の側壁片に夫々連接され、さらに前記一対の脚片に、円盤状記録媒体の固定用穴を係止させるための係合溝が形成された環形片を前記釦部の周囲に夫々配設すると共にその固定用穴の周縁部下面に対応する跳ね上げ部を一体に形成し、
隣り合う前記脚片の間で、かつ、前記環形片の仮想外径円と前記釦部の外側縁とで囲まれる領域内の前記座部には、前記釦部の裏面側に押し込まれて倒伏又は切断分離することが可能な所定高さの干渉片を立設し、
円盤状記録媒体の固定用穴を前記環形片に合わせて押圧することにより同記録媒体が固定され、他方、円盤状記録媒体が固定された釦部を押圧することにより、各環形片を仮想中心側に変位させつつ釦部と一緒に沈ませると同時に、前記跳ね上げ部にて円盤状記録媒体の下降動作を抑制して同記録媒体の固定状態を解放し、かつ、釦部及び環形片を前記座部の開口部内に小嵩に格納可能に設け、
円盤状記録媒体を収めて前記扉を閉じた状態におけるケースの中央部が外力により圧迫された場合には、前記干渉片の上面にその扉の裏面側を当接させることにより、その釦部の沈む動作を阻止して円盤状記録媒体が前記環形片から外れないように構成したことを特徴とする円盤状記録媒体のケースにおける保持手段の妄動防止構造。
【請求項４】
コンパクトディスク等の円盤状記録媒体を本体の正面側から出し入れできるように正面の扉を開閉自由に設けると共に、円盤状記録媒体を着脱自由とする保持手段を設けた円盤状記録媒体のケースにおいて、
その保持手段については、中央の釦部の仮想中心を中心として等角度で放射方向に延びる仮想線を挟むように左右一対の脚片を夫々配置し、各脚片は、その仮想線と直交する線上に配置された第１ヒンジにより一端を座部に連接されると共に、他端の薄肉に形成された第２ヒンジにより前記釦部の側壁片に夫々連接され、かつ、前記前記仮想線と同じ方向に弾性変形による伸縮可能に設けられ、さらに前記一対の脚片に、円盤状記録媒体の固定用穴を係止させるための係合溝が形成された環形片を前記釦部の周囲に夫々配設すると共にその固定用穴の周縁部下面に対応する跳ね上げ部を一体に形成し、
隣り合う前記脚片の間で、かつ、前記環形片の仮想外径円と前記釦部の外側縁とで囲まれる領域内の前記座部には、前記釦部の裏面側に押し込まれて倒伏又は切断分離することが可能な所定高さの干渉片を立設し、
円盤状記録媒体の固定用穴を前記環形片に合わせて押圧することにより同記録媒体が固定され、他方、円盤状記録媒体が固定された釦部を押圧することにより、各環形片を仮想中心側に変位させつつ釦部と一緒に沈ませると同時に、前記跳ね上げ部にて円盤状記録媒体の下降動作を抑制して同記録媒体の固定状態を解放し、かつ、釦部及び環形片を前記座部の開口部内に小嵩に格納可能に設け、
円盤状記録媒体を収めて前記扉を閉じた状態におけるケースの中央部が外力により圧迫された場合には、前記干渉片の上面にその扉の裏面側を当接させることにより、その釦部の沈む動作を阻止して円盤状記録媒体が前記環形片から外れないように構成したことを特徴とする円盤状記録媒体のケースにおける保持手段の妄動防止構造。
【請求項５】
前記第１ヒンジを形成した脚片を中央部に設け、その脚片の両側に前記跳ね上げ部を左右対称に配設したことを特徴とする請求項１〜４の何れかに記載した円盤状記録媒体のケースにおける保持手段の妄動防止構造。
【請求項６】
前記一対の脚片が少なくとも３箇所に設けられていることを特徴とする請求項１〜４の何れかに記載した円盤状記録媒体のケースにおける保持手段の妄動防止構造。
【発明の詳細な説明】
【０００１】
【発明の属する技術分野】
本発明は、音楽や映像を記録したコンパクトディスク(ＣＤ)、デジタル・ビデオ・ディスク(ＤＶＤ)等の円盤状記録媒体を収納するための販売用とレンタルショップにおける展示用を兼ねたケース、及び販売専用のケースにおける保持手段に関する。
【０００２】
【従来の技術】
従来の円盤状記録媒体のケースの保持手段として、中央部分を指先で押圧されることにより縮径して同記録媒体の固定を解放する構造のものがある。例えば、特許第２８６３３１７号のコンパクト・ディスクの保持装置では、ケースの基部から内側に延びる２つの片持ち梁式のアームの先端にディスクの中央孔を係合させるための、中央のヒンジを介して接続されたほぼ半円形のセグメントからなるボタン部材を一体に設け、ディスクの中央孔をそのボタン部材の上においてディスクを押し下げることにより、ディスクを固定保持している。他方、ディスクが保持された状態にてボタン部材の中央部を押すと、アームが撓んで基部のほうに押されてボタン部材のリップが中央孔をくぐるので、ディスクはボタン部材との係止を解除される。
【０００３】
ところが、その保持装置においては、ケースの取り扱い又は輸送時に予期せぬ大きな外力が作用してケースの中央部が圧迫された場合には、ボタン部材に固定保持されたディスクが外れてしまい、ディスクの表面を傷つける等の虞を生ずる。
【０００４】
しかして、特許第２８６３３１７号のコンパクト・ディスクの保持装置等に類する構造に見られる上述した欠点を改善する保持手段の提案が、特開２００１−２０６４７８号公報のディスク用ケースに開示されている。そのケースの保持手段は、ディスクの中央孔の位置を規制する突起部と、この突起部により規制されるディスクの中央孔の内壁に弾力的に嵌合する係止部とを備えた係合部を設け、その係止部の片持ち梁式のアームの先端に設けられたボタン部が押し下げられてディスクとの係止関係が解除される直前位置のボタン部の高さと同じくらいに突起部の高さを設けることにより、ディスクとの係止が解除されるのを防止する構造とされている。
【０００５】
また、販売用とレンタルショップにおける展示用を兼ねたコンパクトな合成樹脂製ケースとして、本件出願人にかかるものが特開２００１−１３０６７４号公報にて開示されている。そのケースは、円盤状記録媒体を本体の正面側と上面側から出し入れできるように正面の扉と上面の蓋体を夫々開閉自由に設けると共に、円盤状記録媒体を着脱自由とする保持手段を本体の背部に設けている。
【０００６】
このケースは、円盤状記録媒体を本体から取り出すと共に蓋体を内方に折り曲げて扉を閉じた状態としてから、記録媒体を格納する別に用意したレンタル用ケースを上面開口から本体内に挿入したとき、そのレンタル用ケースの底部が保持手段の支持部上面に当接することにより、同ケースの上部を上面開口から所定高さまで露出させるように設けられ、その状態にて展示に利用することができる構造とされている。
【０００７】
【発明が解決しようとする課題】
特許第２８６３３１７号の保持装置では、輸送時等に発生する脱盤事故により記録媒体の表面に傷がついておれば当然のことながらケースとしての商品価値がなくなる。このため、ケースの中央部が外力により圧迫された場合に、円盤状記録媒体の固定状態が簡単に解放されないような機能を有する保持手段の商品化が望まれていた。
【０００８】
また、特開２００１−２０６４７８号公報に開示された保持手段においては、ボタン状部のリツプがディスクの中央孔の１箇所に係合してディスクを固定保持する構成とされているため、ディスクを保持したときの安定感が良好とは言えない。さらに、ディスクの固定を解除する場合、ボタン状部は真っ直ぐにスムーズに下降しないため、操作性が良くなく、ディスクの中央孔をこじるような運動を生ずるのでその部分を損傷する虞がある。
【０００９】
この発明の目的は、輸送時等に円盤状記録媒体のケースの中央部が圧迫された場合に、円盤状記録媒体の脱盤を回避する保持手段の妄動防止構造を提供することにある。
【００１０】
【課題を解決するための手段】
前記目的を達成するために請求項１に記載の発明は、コンパクトディスク等の円盤状記録媒体を本体の正面側から出し入れできるように正面の扉を開閉自由に設けると共に、円盤状記録媒体を着脱自由とする保持手段を設けた円盤状記録媒体のケースにおいて、その保持手段については、中央の釦部の仮想中心を中心として等角度で放射方向に延びる仮想線を挟むように左右一対の脚片を夫々配置し、各脚片は、その仮想線と直交する線上に配置された第１ヒンジにより一端を座部に連接されると共に、他端の薄肉に形成された第２ヒンジにより前記釦部の側壁片に夫々連接され、さらに前記一対の脚片に、円盤状記録媒体の固定用穴を係止させるための係合溝が形成された環形片を前記釦部の周囲に夫々配設すると共にその固定用穴の周縁部下面に対応する跳ね上げ部を一体に形成し、隣り合う前記脚片の間で、かつ、前記環形片の仮想外径円と前記釦部の外側縁とで囲まれる領域内の前記座部には、前記釦部の裏面側に押し込まれて倒伏又は切断分離することが可能な所定高さの干渉片を立設し、円盤状記録媒体の固定用穴を前記環形片に合わせて押圧することにより同記録媒体が固定され、他方、円盤状記録媒体が固定された釦部を押圧することにより、各環形片を仮想中心側に変位させつつ釦部と一緒に沈ませると同時に、前記跳ね上げ部にて円盤状記録媒体の下降動作を抑制して同記録媒体の固定状態を解放し、かつ、釦部及び環形片を前記座部の開口部内に小嵩に格納可能に設け、円盤状記録媒体を収めて前記扉を閉じた状態におけるケースの中央部が外力により圧迫された場合には、前記干渉片の上面にその扉の裏面側を当接させることにより、その釦部の沈む動作を阻止して円盤状記録媒体が前記環形片から外れないように構成したことを特徴とする。
【００１１】
同様の目的を達成するために請求項２に記載の発明は、保持手段について、中央の釦部の仮想中心を中心として等角度で放射方向に延びる仮想線を挟むように左右一対の脚片を夫々配置し、各脚片は、その仮想線と直交する線上に配置された第１ヒンジにより一端を座部に連接されると共に、他端の薄肉に形成された第２ヒンジにより前記釦部の前記仮想線と同じ方向に弾性変形可能な側壁片に夫々連接され、さらに前記一対の脚片に、円盤状記録媒体の固定用穴を係止させるための係合溝が形成された環形片を前記釦部の周囲に夫々配設すると共にその固定用穴の周縁部下面に対応する跳ね上げ部を一体に形成し、隣り合う前記脚片の間で、かつ、前記環形片の仮想外径円と前記釦部の外側縁とで囲まれる領域内の前記座部には、前記釦部の裏面側に押し込まれて倒伏又は切断分離することが可能な所定高さの干渉片を立設し、円盤状記録媒体の固定用穴を前記環形片に合わせて押圧することにより同記録媒体が固定され、他方、円盤状記録媒体が固定された釦部を押圧することにより、各環形片を仮想中心側に変位させつつ釦部と一緒に沈ませると同時に、前記跳ね上げ部にて円盤状記録媒体の下降動作を抑制して同記録媒体の固定状態を解放し、かつ、釦部及び環形片を前記座部の開口部内に小嵩に格納可能に設けたことを特徴とする。
【００１２】
同様の目的を達成するために請求項３に記載の発明は、保持手段について、中央の釦部の仮想中心を中心として等角度で放射方向に延びる仮想線を挟むように左右一対の脚片を夫々配置し、各脚片は、その仮想線と直交する線上に配置された第１ヒンジにより一端を座部の前記仮想線と同じ方向に弾性変形可能な連結片に連接されると共に、他端の薄肉に形成された第２ヒンジにより前記釦部の側壁片に夫々連接され、さらに前記一対の脚片に、円盤状記録媒体の固定用穴を係止させるための係合溝が形成された環形片を前記釦部の周囲に夫々配設すると共にその固定用穴の周縁部下面に対応する跳ね上げ部を一体に形成し、隣り合う前記脚片の間で、かつ、前記環形片の仮想外径円と前記釦部の外側縁とで囲まれる領域内の前記座部には、前記釦部の裏面側に押し込まれて倒伏又は切断分離することが可能な所定高さの干渉片を立設し、円盤状記録媒体の固定用穴を前記環形片に合わせて押圧することにより同記録媒体が固定され、他方、円盤状記録媒体が固定された釦部を押圧することにより、各環形片を仮想中心側に変位させつつ釦部と一緒に沈ませると同時に、前記跳ね上げ部にて円盤状記録媒体の下降動作を抑制して同記録媒体の固定状態を解放し、かつ、釦部及び環形片を前記座部の開口部内に小嵩に格納可能に設けたことを特徴とする。
【００１３】
同様の目的を達成するために請求項４に記載の発明は、保持手段について、中央の釦部の仮想中心を中心として等角度で放射方向に延びる仮想線を挟むように左右一対の脚片を夫々配置し、各脚片は、その仮想線と直交する線上に配置された第１ヒンジにより一端を座部に連接されると共に、他端の薄肉に形成された第２ヒンジにより前記釦部の側壁片に夫々連接され、かつ、前記前記仮想線と同じ方向に弾性変形による伸縮可能に設けられ、さらに前記一対の脚片に、円盤状記録媒体の固定用穴を係止させるための係合溝が形成された環形片を前記釦部の周囲に夫々配設すると共にその固定用穴の周縁部下面に対応する跳ね上げ部を一体に形成し、隣り合う前記脚片の間で、かつ、前記環形片の仮想外径円と前記釦部の外側縁とで囲まれる領域内の前記座部には、前記釦部の裏面側に押し込まれて倒伏又は切断分離することが可能な所定高さの干渉片を立設し、円盤状記録媒体の固定用穴を前記環形片に合わせて押圧することにより同記録媒体が固定され、他方、円盤状記録媒体が固定された釦部を押圧することにより、各環形片を仮想中心側に変位させつつ釦部と一緒に沈ませると同時に、前記跳ね上げ部にて円盤状記録媒体の下降動作を抑制して同記録媒体の固定状態を解放し、かつ、釦部及び環形片を前記座部の開口部内に小嵩に格納可能に設けたことを特徴とする。
【００１４】
同様の目的を達成するために請求項５に記載の発明は、請求項１〜４の何れかに記載した円盤状記録媒体のケースにおける保持手段の妄動防止構造において、前記第１ヒンジを形成した脚片を中央部に設け、その脚片の両側に前記跳ね上げ部を左右対称に配設したことを特徴とするものである。
【００１５】
同様の目的を達成するために請求項６に記載の発明は、請求項１〜４の何れかに記載した円盤状記録媒体のケースにおける保持手段の妄動防止構造において、前記一対の脚片が少なくとも３箇所に設けられていることを特徴とするものである。
【００１６】
【発明の作用及び効果】
（請求項１の発明）
保持手段の環形片に円盤状記録媒体の固定用穴を合わせてその周辺部を押圧すると、環形片は、第１ヒンジ及び第２ヒンジ部分の歪み弾性変形作用により仮想中心側に変位しつつ沈んでその固定用穴を通過させ、これとほぼ同時に、その歪み弾性変形作用によって元の位置に戻る。しかして、環形片の係合溝に固定用穴が係止されて円盤状記録媒体は固定保持される。
【００１７】
また、円盤状記録媒体が固定された保持手段の釦部を指で押したときには、環形片は前記歪弾性変形により仮想中心側に変位しつつ第１ヒンジを支点とする傾動作用により沈んで跳ね上げ部により下降動作を抑制される円盤状記録媒体の固定孔をくぐるので、同記録媒体の固定は解除される。これとほぼ同時に、釦部及び環形片は、座部の開口部内に小嵩に格納される。
【００１８】
ケースの取り扱い又は輸送時に大きな外力が作用してケースの中央部が圧迫されたときには、保持手段の釦部とほぼ同じ高さとした干渉片の上面に、扉の裏面が直接又は扉の内側に収められる冊子類を介して間接的に当接し釦部の沈む動作を阻止するため、円盤状記録媒体は環形片の係合溝から外れることがない。
【００１９】
この発明の保持手段の妄動防止構造については、販売専用ケースにも、販売用とレンタルショップにおける展示用とを兼ねたケースの何れについても適用可能であるが、後者の販売と展示兼用ケースについて適用する場合には、釦部及び環形片を不使用時に小嵩に格納することができ、ケースをコンパクトにすることができる利点がある。
【００２０】
販売と展示兼用ケースについて述べれば、まず、円盤状記録媒体をケースから取り出して別に用意したレンタル用ケースに入れ替える。そして、保持手段に設けられた干渉片を釦部の裏面側に押し込んで倒すと共に、釦部を押し下げて開口部内に小嵩に格納しておき、ケースの蓋体を内方に固定させる。つぎに、ケースの扉を閉じて上面開口を設けた状態としてから、レンタル用ケースをその上面開口からケースに挿入する。これにより、レンタル用ケースの上部がケースの上面開口から露出した展示態様とすることができる。
なお、このケースの出荷に伴う輸送時等においては、前述した保持手段の妄動を防止するために、干渉片を立った状態のままにしておくことに留意する。
【００２１】
（請求項２の発明）
保持手段の環形片に円盤状記録媒体の固定用穴を合わせてその周辺部を押圧すると、環形片は、跳ね上げ部により下降動作を抑制される釦部の側壁片の弾性変形により仮想中心側に変位しつつ沈んでその固定用穴を通過させ、これとほぼ同時に、側壁片の弾力作用によって元の拡径した状態に戻る。しかして、環形の係合溝に固定用穴が係止されて円盤状記録媒体は固定保持される。
【００２２】
また、円盤状記録媒体が固定された保持手段の釦部を指で押したときには、環形片は側壁片の弾性変形により仮想中心側に変位しつつ第１ヒンジを支点とする傾動作用により沈んで跳ね上げ部により下降動作を抑制される円盤状記録媒体の固定孔をくぐるので、同記録媒体の固定は解除される。
なお、この保持手段のその他の作用については、前記請求項１の発明の項にて説明した内容に準ずるので、説明を省略する。
【００２３】
（請求項３の発明）
保持手段の環形片に円盤状記録媒体の固定用穴を合わせてその周辺部を押圧すると、環形片は座部に設けた連結片の弾性変形により仮想中心側に変位しつつ沈んでその固定用穴を通過させ、これとほぼ同時に、その連結片の弾性変形作用によって元の状態に戻る。しかして、環形片の係合溝に固定用穴が係止されて円盤状記録媒体は固定保持される。
【００２４】
また、円盤状記録媒体が固定された保持手段の釦部を指で押したときには、環形片は連結片の弾性変形により仮想中心側に変位しつつ第１ヒンジを支点とする傾動作用により沈んで跳ね上げ部により下降動作を抑制される円盤状記録媒体の固定孔をくぐるので、同記録媒体の固定は解除される。
なお、この保持手段のその他の作用については、前記請求項１の発明の項にて説明した内容に準ずるので、説明を省略する。
【００２５】
（請求項４の発明）
保持手段の環形片に円盤状記録媒体の固定用穴を合わせてその周辺部を押圧すると、環形片は脚片の弾性変形による収縮作用により仮想中心側に変位しつつ沈んでその固定用穴を通過させ、これとほぼ同時に、その脚片の弾性変形による伸長作用によって元の位置に戻る。しかして、環形片の係合溝に固定用穴が係止されて円盤状記録媒体は固定保持される。
【００２６】
また、円盤状記録媒体が固定された保持手段の釦部を指で押したときには、環形片は脚片の弾性変形による収縮作用により仮想中心側に変位しつつ第１ヒンジを支点とする傾動作用により沈んで跳ね上げ部により下降動作を抑制される円盤状記録媒体の固定孔をくぐるので、同記録媒体の固定は解除される。
なお、この保持手段のその他の作用については、前記請求項１の発明の項にて説明した内容に準ずるので、説明を省略する。
【００２７】
（請求項５の発明）
保持部の作用については、上記各請求項の発明に述べた内容に準ずるので、説明を省略する。
【００２８】
【発明の実施の形態】
以下に、本発明の実施の形態例を図面に基づいて説明する。図１から図６は第１実施の形態例、図７は第２実施の形態例、図８から図１０は第３実施の形態例、図１１から図１３は第４実施の形態例、図１４は第５実施の形態例にかかるものであって、図１はケースの扉を開いた状態を示す正面図、図２は保持手段の正面図、図３は図２の要部の断面図、図４は干渉片部分の断面図、図５は釦部が押し込まれて格納された状態を示す説明図、図６はケースの扉の中央部が圧迫された状態における干渉片の作用を説明するための模式図、図７は保持手段の要部の断面図、図８は保持手段の正面図、図９は図８の要部の断面図、図１０は干渉片部分の断面図、図１１は保持手段の正面図、図１２は図１１の要部の断面図、図１３は干渉片部分の断面図、図１４は保持手段の正面図である。
【００２９】
（第１実施形態例）
図１に示す円盤状記録媒体のケースＣは販売と展示兼用ケースであり、本発明にかかる保持手段の妄動防止構造を備えている。このケースＣは、箱型形状の本体１と扉２０及び上面の蓋体２５とを合成樹脂材料により一体成形されている。その本体１には、長方形の背部２の中央下方にデジタル・ビデオ・ディスク(ＤＶＤ)等の円盤状記録媒体ｘの固定用穴ｙを嵌着させるための保持手段５を設け、その背部２に右側片２ａと底片２ｂとが一体に形成されている。３は円盤状記録媒体ｘの外周縁部を支持するための円弧状突部であり、背部２に一体に形成されている。４はこのケースＣに公知のレンタル用ケース（図示せず）を収めて陳列に用いるときの該レンタル用ケースの底部を当接させるストッパー片である。
【００３０】
保持手段５については、図２及び図３に示すように、本体１の背部２の中央に配置された円形座部５ａに形成した開口部２ｃの中央に、ほぼ三角形の釦部１０の仮想中心（イ）を中心として等角度、この例では１２０°間隔で放射方向に延びる仮想線（ロ）を挟むように左右一対の脚片７，７を３ヵ所に配置する。各脚片７は、その仮想線（ロ）と直交する線（ハ）上に配置された第１ヒンジ６により一端７ａを前記開口部２ｃの内端に連接されると共に、その他端７ｂの薄肉に形成された第２ヒンジ８によって釦部１０の側壁片１１の下端１１ａに夫々連接されている。
【００３１】
１３は円盤状記録媒体ｘの固定用穴ｙを係止させるための係合溝１５が形成された環形片である。その環形片１３は釦部１０の周囲に配置されており、第２ヒンジ８から外方に形成された凹溝１２を介して一対の脚片７，７に一体に設けられている。９は左右一対の脚片７，７の後部に差し渡すように一体に形成された跳ね上げ部であって、各跳ね上げ部９は、円盤状記録媒体ｘの固定用穴ｙの周縁部下面に対応するように設けられている。
【００３２】
図２及び図４に示すように、隣り合う脚片７，７の間で、かつ、環形片１３の仮想外径円と釦部１０の外側縁とで囲まれる領域内の座部５ｂには、所定高さ、即ち環形片１３の上面よりやや低い高さとした３つの干渉片１６を立設する。それらの干渉片１６は、座部５ｂから薄肉に形成された弾性変形可能なヒンジ部分１７を介して設けられると共に、図５に示すように釦部１０を押し込む場合には当該釦部１０の裏面１０ｂ側に押し込まれて倒伏可能に設けられている。１８は干渉片１６の外面に形成された窪みであり、干渉片１６を押し込む場合に、ペンや図示しない押し込み具等により押し易くするために設けられている。
【００３３】
なお、このケースＣは、特に出荷・輸送時等に発生する保持部５からの脱盤事故を想定したものであるが、ビデオレンタルショップ内で陳列に供する場合にはそのような事態が起きにくいことから、前記干渉片１６をヒンジ部分１７から切断分離することもできる。
【００３４】
上記本体１の左側縁には、薄肉に形成したヒンジ１９ａにより中央側片１９の一側縁を連接する。その中央側片１９の他側縁には、薄肉に形成したヒンジ１９ｂにより正面の扉２０を一体状に連接して同扉２０を開閉可能に設ける。２２，２２は扉２０の内側に収められる冊子類ｚを固定するための一対の弾力性押え片である。２３は前記ストッパー片４と対応するように扉２０の内面に設けられたストッパー片である。
【００３５】
２５は前記背部２の上縁部に薄肉に形成されたヒンジにより一体状に連接された蓋体であって、前記背部２、右側片２ａ、中央側片１７と扉２０により四方を囲まれて形成される上面開口２４を開閉するためのものである。この蓋体２５は、一方の端部２５ａを右側片２ａの上端内方に設けた係止溝２ｄに係合させると共に、扉２０を閉めたときに他方の端部２５ｂを中央側片１９の上部に係合させることにより、上面開口２４を閉じた状態に保持するように設けられている。
【００３６】
３０は上面開口２４寄りの背部２に設けられた複数の弾力性ロック片である。各ロック片３０は、内方に折り曲げられた上記蓋体２５を固定保持するように設けられている。
【００３７】
次に、上記構成になる保持手段５の操作・機能及び当該保持手段を備えたケースＣの取り扱いについて説明する。
（１）保持手段５の環形片１３に円盤状記録媒体ｘの固定用穴ｙを合わせて釦部１０を指で押すと、環形片１３が沈んでその固定用穴ｙを通過させる。これとほぼ同時に、環形片１３は元の位置に戻るので、円盤状記録媒体ｘは係合溝１５に固定用穴ｙを係止されて固定保持される。
（２）他方、円盤状記録媒体ｘが固定された保持手段５の釦部１０を指で押すと、環形片１３は沈んで同記録媒体の固定用穴ｙをくぐる。円盤状記録媒体ｘの中央部分は環形片１３と一緒に少し下降するが、固定用穴ｙの周縁部の下面が跳ね上げ部９に当接してそれ以上の下降を抑制するため、環形片１３はさらに下降して上記固定状態を解放する。
（３）そして、釦部１０及び環形片１３は、円盤状記録媒体ｘの固定を解いた位置からさらに沈んで開口部２ｃに小嵩に格納される。
【００３８】
また、図６に示すように、ケースＣの輸送時等においてケースＣの中央部が圧迫されたときには、扉２０の裏面が、直接又は扉の内側に収められる冊子類ｚを介して保持手段５の干渉片１６の上面に間接的に当接するため、釦部１０の沈む動作を阻止する。これにより、保持手段５から円盤状記録媒体ｘが離脱することを確実に防止することができる。
【００３９】
さらに、このケースＣをレンタルショップにおける展示ケースとして利用する場合には、図５に示すように保持手段５の干渉片１６を釦部１０の裏面１０ｂ側に押し込んで倒すと共に、釦部１０を押し下げて開口部２ｃ内に小嵩に格納する。詳細については請求項１の発明の作用の項にて述べているので、説明を省く。
【００４０】
（第２実施の形態例）
この保持手段の妄動防止構造は請求項２の発明に関するものであり、前記第１実施形態例の保持手段の一部のみが相違するが、その他の構成については全く同じ構成としている。
【００４１】
即ち、保持手段１０５の各脚片１０７については、図７に示すように、前記仮想線（ロ）と直交する線（ハ）上に配置された第１ヒンジ１０６により一端１０７ａを開口部１０２ｃの内端に連接されると共に、その他端１０７ｂの第１ヒンジ１０６の向きと同一方向で薄肉に形成された第２ヒンジ１０８によって前記仮想線（ロ）と同じ方向に弾性変形可能な釦部１１０の側壁片１１１の下端１１１ａに夫々連接されている。それ以外の構成については、第１実施形態例の保持手段の構成と全く同じに設けられている。勿論、隣り合う脚片１０７，１０７の間で、かつ、環形片１１３の仮想外径円と釦部１１０の外側縁とで囲まれる領域内の座部１０５ｂには、干渉片１１６を設けるものとする。
【００４２】
かかる構成になる保持手段の操作等については、第１実施形態例において述べた内容と同様であることから、これ以上の説明を行わない。なお、それと同一構成部分については、前記保持手段５の説明に用いた符号に対応する符号（百番台）を図面に記載して説明を省略する。
【００４３】
（第３実施の形態例）
この保持手段の妄動防止構造は請求項３の発明に関するものであり、前記第１実施形態例の保持手段の一部のみが相違するが、その他の構成については全く同じ構成としている。
【００４４】
即ち、保持部２０５の各脚片２０７については、図８及び図９に示すように、前記仮想線（ロ）と直交する線（ハ）上に配置された第１ヒンジ２０６により一端２０７ａを座部２０５ａに設けた仮想線（ロ）と同じ方向に弾性変形可能な連結片２０５ｃに連接されると共に、その他端２０７ｂの薄肉に形成された第２ヒンジ２０８によって釦部２１０の側壁片２１１の下端２１１ａに夫々連接されている。それ以外の構成については、第１実施形態例の保持手段の構成と全く同じに設けられている。勿論、隣り合う脚片２０７，２０７の間で、かつ、環形片２１３の仮想外径円と釦部２１０の外側縁とで囲まれる領域内の座部２０５ｂには干渉片２１６を設ける。
【００４５】
かかる構成になる保持手段の操作等については、第１実施形態例において述べた内容と同様であるため、これ以上の説明を行わない。なお、それと同一構成部分については、前記保持手段５の説明に用いた符号に対応する符号（二百番台）を図面に記載して説明を省略する。
【００４６】
（第４実施の形態例）
この保持手段の妄動防止構造は請求項４の発明に関するものであり、前記第１実施形態例の保持手段の一部のみが相違するが、その他の構成については全く同じ構成としている。
【００４７】
即ち、保持手段３０５の各脚片３０７については、図１１及び図１２に示すように、前記仮想線（ロ）と直交する線（ハ）上に配置された第１ヒンジ３０６により一端の連結片３０７ａを座部３０５ａの内端に連接されると共に、その他端の連結片３０７ｂの薄肉に形成された第２ヒンジ３０８によって釦部３１０の側壁片３１１の下端３１１ａに夫々連接されている。各々の脚片３０７は、仮想線（ロ）と同じ方向に弾性変形可能な連結片３０７ａ及び連結片３０７ｂを自身に設けることにより伸縮可能に設けられている。それ以外の構成については、第１実施形態例の保持手段の構成と全く同じに設けられている。勿論、隣り合う脚片３０７，３０７の間で、かつ、環形片３１３の仮想外径円と釦部３１０の外側縁とで囲まれる領域内の座部３０５ｂには干渉片３１６を設ける。
【００４８】
かかる構成になる保持手段の操作等については、第１実施形態例において述べた内容と同様であるため、これ以上の説明を行わない。なお、それと同一構成部分については、前記保持手段５の説明に用いた符号に対応する符号（三百番台）を図面に記載して説明を省略する。
【００４９】
（第５実施の形態例）
この保持手段の妄動防止構造は請求項５の発明に関するものであり、前記第３実施形態例の保持手段の一部のみが相違するが、その他の構成については全く同じ構成としている。よって、それと同一構成部分については、保持手段２０５の説明に用いた符号に対応する符号（四百番台）を図面に記載して説明を簡略にする。
【００５０】
即ち、保持手段４０５については、図１４に示すように、第３実施の形態例の保持手段２０５の構成に対して、第１ヒンジ４０６を形成した脚片４０７を中央部に設け、跳ね上げ部４０９をその脚片４０７の両側に左右対称に配設した構成である。そして、隣り合う跳ね上げ部４０９，４０９の間で、かつ、環形片４１３の仮想外径円と釦部４１０の外側縁とで囲まれる領域内の座部４０５ｂには干渉片３１６を設ける。
【００５１】
かかる構成になる保持手段の操作等については、第１実施形態例において述べた内容と同様であるため、これ以上の説明をしない。
【００５２】
以上の通り、本発明の円盤状記録媒体の保持手段の妄動防止構造は、ケースの取り扱い又は輸送時に何らかの外力によりケースの中央部が圧迫されたときに、扉の裏面が直接又は扉の内側に収められる冊子類を介して間接的に、保持手段の干渉片の上面に当接して釦部の沈む動作を阻止するように構成しているため、円盤状記録媒体の保持部からの離脱を防止することができる。
【図面の簡単な説明】
図１から図６は第１実施の形態例、図７は第２実施の形態例、図８から図１０は第３実施の形態例、図１１から図１３は第４実施の形態例、図１４は第５実施の形態例にかかるものである。
【図１】ケースの扉を開いた状態を示す正面図
【図２】保持手段の正面図
【図３】図２の要部の断面図
【図４】干渉片部分の断面図
【図５】釦部が押し込まれて格納された状態を示す説明図
【図６】ケースの扉の中央部が圧迫された状態における干渉片の作用を説明するための模式図
【図７】保持手段の要部の断面図
【図８】保持手段の正面図
【図９】図８の要部の断面図
【図１０】干渉片部分の断面図
【図１１】保持手段の正面図
【図１２】図１１の要部の断面図
【図１３】干渉片部分の断面図
【図１４】保持手段の正面図
【符号の説明】
ｘ・・・円盤状記録媒体
ｙ・・・固定用穴
ｚ・・・冊子類
Ｃ・・・円盤状記録媒体のケース
１・・・本体
２・・・背部
２ｃ・・・開口部
１０２ｃ・・・開口部
２０２ｃ・・・開口部
３０２ｃ・・・開口部
５・・・保持手段
１０５・・・保持手段
２０５・・・保持手段
３０５・・・保持手段
４０５・・・保持手段
５ａ・・・座部
１０５ａ・・・座部
２０５ａ・・・座部
３０５ａ・・・座部
４０５ａ・・・座部
（イ）・・・仮想中心
（ロ）・・・仮想線
（ハ）・・・線
６・・・第１ヒンジ
１０６・・・第１ヒンジ
２０６・・・第１ヒンジ
３０６・・・第１ヒンジ
４０６・・・第１ヒンジ
７・・・脚片
１０７・・・脚片
２０７・・・脚片
３０７・・・脚片
４０７・・・脚片
８・・・第２ヒンジ
１０８・・・第２ヒンジ
２０８・・・第２ヒンジ
３０８・・・第２ヒンジ
４０８・・・第２ヒンジ
９・・・跳ね上げ部
１０９・・・跳ね上げ部
２０９・・・跳ね上げ部
３０９・・・跳ね上げ部
４０９・・・跳ね上げ部
１０・・・釦部
１１０・・・釦部
２１０・・・釦部
３１０・・・釦部
４１０・・・釦部
１３・・・環形片
１１３・・・環形片
２１３・・・環形片
３１３・・・環形片
４１３・・・環形片
１６・・・干渉片
１１６・・・干渉片
２１６・・・干渉片
３１６・・・干渉片
４１６・・・干渉片
１７・・・ヒンジ部分
１１７・・・ヒンジ部分
２１７・・・ヒンジ部分
３１７・・・ヒンジ部分
２０・・・扉
２４・・・上面開口
２５・・・蓋体
【図１】
0003948966.tif 000002
【図２】
0003948966.tif 000003
【図３】
0003948966.tif 000004
【図４】
0003948966.tif 000005
【図５】
0003948966.tif 000006
【図６】
0003948966.tif 000007
【図７】
0003948966.tif 000008
【図８】
0003948966.tif 000009
【図９】
0003948966.tif 000010
【図１０】
0003948966.tif 000011
【図１１】
0003948966.tif 000012
【図１２】
0003948966.tif 000013
【図１３】
0003948966.tif 000014
【図１４】
0003948966.tif 000015